(57)【特許請求の範囲】
【請求項１】
表示部の長手方向一端辺に取付け部を延設するとともに、表示部および取付け部の裏面に粘着剤を塗布し、商品の一部を巻き込むようにして前記取付け部を折り曲げてその端部を表示部に臨ませ、前記表示部を裏面側に折り曲げて前記取付け部の端部を挟み込むようにして互いに貼着させるようにした貼り合わせタグにおいて、
前記取付け部と前記表示部との境界に前記取付け部の幅方向に全幅の１／２以上の切込みを入れたことを特徴とする貼り合わせタグ。
【請求項２】
前記取付け部の前記切込みを入れた部分に対応する端部に切欠きを形成したことを特徴とする請求項１に記載の貼り合わせタグ。
【発明の詳細な説明】
【０００１】
【発明の属する技術分野】
本発明は貼り合わせタグに関するものである。
【０００２】
【従来の技術】
図４に示したように、貼り合わせタグ１は、定価，品名等を表示する表示部２と、商品Ａを取付ける取付け部３とから構成されている。この貼り合わせタグ１は、図５に示したように、矩形状の表示部２と、該表示部２の一端辺から外方へ延設された舌片状の取付け部３が、一枚のシートによって形成され、裏面に粘着剤４が塗布されている。
【０００３】
そして、商品Ａの一部を巻き込むようにして取付け部３を折り曲げてその端部を表示部２に臨ませ、表示部２を裏面側に折り曲げて取付け部３の端部を挟み込むようにして互いに貼着させる。
【０００４】
この貼り合わせタグ１は、図６に示したように、表面に剥離剤５が塗布されている帯状台紙６に適宜な間隔をもって仮着されており、使用に際して一枚づつ帯状台紙６から剥離して使用される。
【０００５】
【発明が解決しようとする課題】
ところで、このような貼り合わせタグ１では、商品Ａに取付け部３の粘着剤４が付着しないようにしなければならない。
【０００６】
そこで、このような貼り合わせタグ１では、図５に示したように、取付け部３の裏面の少なくとも商品Ａと接触する部分にニス等を塗って、非粘着部（のり殺し部）７を形成しているが、その作業は極めて煩雑である。
【０００７】
本発明はかかる事情に鑑みてなされたもので、非粘着部を形成するための作業をなくし、生産工程の削減を図ることができる貼り合わせタグを提供することを目的としている。
【０００８】
【課題を解決するための手段】
前記目的を達成するために、本発明に係る請求項１の貼り合わせタグでは、表示部の長手方向一端辺に取付け部を延設するとともに、表示部および取付け部の裏面に粘着剤を塗布し、商品の一部を巻き込むようにして前記取付け部を折り曲げてその端部を表示部に臨ませ、前記表示部を裏面側に折り曲げて前記取付け部の端部を挟み込むようにして互いに貼着させるようにした貼り合わせタグにおいて、前記取付け部と前記表示部との境界に前記取付け部の幅方向に全幅の１／２以上の切込みを入れたことを特徴としている。
【０００９】
この発明の貼り合わせタグによれば、取付け部の一部を幅方向へ折り曲げて裏面を互いに接着させることによって取付け部の裏面の商品Ａと接触する部分を非粘着部としているので、非粘着部の形成（のり殺し）の工程を省略できる。また、取付け部が二重になるので、取付け部の強度が高まる。
【００１０】
また、本発明に係る請求項２の貼り合わせタグでは、請求項１の発明において、前記取付け部の前記切込みを入れた部分に対応する端部に切欠きを形成したことを特徴としている。
【００１１】
この発明の貼り合わせタグによれば、取付け部の切欠きを有する一部を折り曲げて他部に接着させた際に、取付け部端部の粘着剤が露出する。そして、取付け部を折り曲げてその端部を表示部に臨ませた際に、切欠き部によって露出した取付け部の端部裏面の粘着部と表示部裏面の粘着剤とがより強固に接着されるので、表示部を折り曲げて貼り合わせる際に取付け部が剥がれることがない。また、タグを商品に取付ける前に表示部を先に貼り合わせておき、タグを商品に取付け後に取付け部の端部の粘着部を表示部の表面側に貼る方法もとれるので、作業効率が高まる。
【００１２】
【発明の実施の形態】
以下添付図面に従って本発明に係る貼り合わせタグの好ましい実施の形態について説明する。
【００１３】
図１は本発明に係る貼り合わせタグを帯状台紙に適宜間隔で仮着したタグ連続体を示した斜視図、図２（ａ）〜（ｄ）は本発明に係る貼り合わせタグを使用して、該タグを商品に取付ける手順を示した正面図である。
【００１４】
本発明の貼り合わせタグ１０は、矩形状の表示部１１と、該表示部１１の一端辺から外方へ延設され、表示部１１の幅のほぼ１／２の幅をもった矩形状の取付け部１２とによって構成されており、取付け部１２と表示部１１との境界に取付け部１２の幅方向に全幅の１／２以上の切込み１３が入れられている。  この貼り合わせタグ１０は、裏面に粘着剤１４が塗布され、図１に示したように、表面に剥離剤が塗布された帯状の台紙２０に適宜間隔で仮着されている。表示部１１の表面（粘着剤１４が塗布されていない面）にはバーコード等の表示が印刷されている。
【００１５】
そして、この貼り合わせタグ１０は、台紙２０から剥離して図２に示したようにして使用される。図２（ａ）は貼り合わせタグ１０の裏面を表わしている。
【００１６】
先ず、台紙２０から剥離した貼り合わせタグ１０の取付け部１２を裏面側（粘着剤１４が塗布されている側）に折り線１５ａに沿って折り曲げる。すると、取付け部１２の半部が他の半部に重なり、それらは互いに接着される（図２（ｂ）参照）。
【００１７】
次いで、商品Ａの一部を巻き込むようにして取付け部１２を折り曲げてその端部を表示部１１に臨ませる（図２（ｃ）参照）。
【００１８】
次いで、表示部１１を裏面側（粘着剤１４が塗布されている側）に折り線１５ｂに沿って折り曲げる（図２（ｄ）参照）。すると、表示部１１の半部が他の半部に重なり、取付け部１２の端部を挟み込むようにして互いに接着される。
【００１９】
このような貼り合わせタグ１０の場合には、図２（ｂ）に示したように、取付け部１２の半部が他の半部に重ね合わされ、裏面の粘着部が覆い隠される。したがって、粘着部が商品Ａに触れる虞れはない。また、取付け部１２が二重になるので強度が増す。
【００２０】
なお、本発明に係る貼り合わせタグ１０は、図３（ａ）に示したように、取付け部１２における切込み１３を入れた部分に対応する端部に切欠き１６を形成して構成することもできる。
【００２１】
この貼り合わせタグ１０の場合には、図３（ｂ）に示したように、取付け部１２の半部を他の半部に重ね合わせた状態で、取付け部１２の先端に粘着剤１４が露出する。したがって、商品Ａの一部を巻き込むようにして取付け部１２を折り曲げてその端部を表示部１１に臨ませた際に、取付け部１２の先端の粘着剤１４が取付け部１２の粘着剤１４に合わせられるので、取付け部１２がより強固に表示部１１の裏面に接着される。また、タグの表示部を先に貼り合わせておき、タグを商品に取付け後に取付け部の端部の粘着部を表示部の表面側に貼る方法もとれるので、作業効率が高まる。
【００２２】
なお、上記実施の形態では、取付け部１２および表示部１１を折り線１５ａ，１５ｂに沿って幅方向に折り曲げているが、例えば、表示部１１を長手方向に折り曲げるなど、折り曲げ方向は上記実施の形態に限定されない。
【００２３】
また、上記実施の形態では、取付け部１２の幅を表示部１１の幅の１／２にしているが、取付け部の幅は任意に設定できる。
【００２４】
【発明の効果】
以上説明したように、本発明に係る請求項１の貼り合わせタグによれば、表示部を幅方向へ折り曲げて裏面を互いに接着させることによって取付け部の裏面の商品Ａと接触する部分を非粘着部としている。
【００２５】
したがって、ニスを塗布するなどして取付け部に非粘着部を形成する必要がなく、非粘着部形成工程が省略できる。しかも折り曲げて重ね合わされた取付け部は２層になるので、取付け部の強度が高くなる。
【００２６】
また、本発明に係る請求項２の貼り合わせタグによれば、取付け部を折り曲げてその端部を表示部に臨ませた際に、切欠き部から露出した取付け部の裏面の粘着剤と表示部裏面の粘着剤とが接着して、強固に仮止めすることができる。また、タグを商品に取付ける前に表示部を先に貼り合わせておき、タグを商品に取付け後に取付け部の端部の粘着部を表示部の表面側に貼る方法もとれるので、作業効率が高まる。
【図面の簡単な説明】
【図１】本発明に係る貼り合わせタグを間隔をもって帯状台紙に仮着したタグ連続体を示した斜視図である。
【図２】商品に本発明に係る貼り合わせタグを取付ける手順（ａ）〜（ｄ）を示した正面図である。
【図３】本発明に係る貼り合わせタグの変形例を示し、その手順（ａ）、（ｂ）を示した正面図である。
【図４】従来の貼り合わせタグを商品に取付けた状態を示した正面図である。
【図５】図４に示した貼り合わせタグで取付け部に非粘着部を形成した状態を示した正面図である。
【図６】図４に示した貼り合わせタグを間隔をもって帯状台紙に仮着したタグ連続体を示した斜視図である。
【符号の説明】
１０…貼り合わせタグ、１１…表示部、１２…取付け部、１３…切込み、１４…粘着剤、１５ａ，１５ｂ…折り線、１６…切欠き、Ａ…商品
【図１】
0004610808.tif 000002
【図２】
0004610808.tif 000003
【図３】
0004610808.tif 000004
【図４】
0004610808.tif 000005
【図５】
0004610808.tif 000006
【図６】
0004610808.tif 000007